【手続補正書】
【提出日】平成25年7月31日(2013.7.31)
【手続補正１】
【補正対象書類名】特許請求の範囲
【補正対象項目名】全文
【補正方法】変更
【補正の内容】
【特許請求の範囲】
【請求項１】
荷重（３）を処理するのに使用するための装置であって、前記装置は、
耐荷重細長部材（２）および前記耐荷重細長部材を繰り出し、戻すための耐荷重機構と、
少なくとも１つのサービスアンビリカル（９、１０）および前記または各々のサービスアンビリカルを繰り出し、戻すためのサービスアンビリカル機構と、
前記耐荷重細長部材（２）および各々のサービスアンビリカル（９、１０）の周囲を被覆するための少なくとも１つの固定部材、ならびに前記耐荷重細長部材（２）および前記サービスアンビリカル（９、１０）が繰り出される場合、それらの周囲で前記または各々の固定部材を回転させ、前記耐荷重細長部材（２）および前記サービスアンビリカル（９、１０）が戻される場合、それらから前記または各々の固定部材の被覆を外すためのラッピングデバイスと、
を備え、前記耐荷重細長部材（２）および各々のサービスアンビリカル（９、１０）周囲の前記ラッピングデバイスによる前記固定部材の回転は、電力導管（２５）を介して供給される電力によって作動し、前記電力導管（２５）は、荷重（３）を処理する間、前記耐荷重細長部材（２）と共に略同心円状に配置されるように適合される中心軸穴を有する電力導管ドラム（２８）上で被覆される細長いフレキシブルな導管の形態である、装置。
【請求項２】
前記電力導管ドラム（２８）は不連続部（２８’ｃ）を有し、前記不連続部（２８’ｃ）を介して、前記電力導管ドラム（２８）の前記中心軸穴（２８’ｂ）内への前記耐荷重細長部材（２）の移動を可能にし、前記不連続部（２８’ｃ）を介する前記耐荷重細長部材（２）の移動後、前記不連続部（２８’ｃ）に近接するように適合される挿入部（２９’）を備え、前記挿入部（２９’）は前記電力導管ドラムにヒンジで連結される、請求項１に記載の装置。
【請求項３】
前記固定部材は、固定部材ドラム（１５、１５ｈ、１６、１６ｈ、４５、４６）上に格納され、前記ラッピングデバイス、前記電力導管ドラム（２８）、および前記固定部材ドラム（１５、１５ｈ、１６、１６ｈ、４５、４６）は、それらのコンポーネントと一緒に回転可能に接続する回転シャーシ（４）に接続される、請求項１または２に記載の装置。
【請求項４】
前記シャーシ（４）は、不連続部（２０ｃ）を介して前記細長部材（２）の移動を可能にするためにトラック（２０）の一部が取り除かれまたは移動できる半径方向の不連続部（２０ｃ）を組み込んでいるトラック（２０）を備える、請求項３に記載の装置。
【請求項５】
前記または各々の固定部材は、その摩擦係数を調節するために摩擦調節剤でコーティングされた弾性材料を含む、請求項１〜４のいずれか一項に記載の装置。
【請求項６】
１つより多い固定部材が提供され、前記固定部材は、前記細長部材（２）の対向する側上の軸に置かれる固定部材ドラム（１５、１５ｈ、１６、１６ｈ）に格納され、前記ドラムの軸は互いに平行、かつ、前記細長部材（２）の軸に垂直に配置される、請求項１〜５のいずれか一項に記載の装置。
【請求項７】
前記細長部材（２）および前記サービスアンビリカルの両方の外側の周囲で前記固定部材を巻くように、前記または各々の固定部材は、前記細長部材（２）の半径方向外側の前記ラッピングデバイスから離れている、請求項１〜６のいずれか一項に記載の装置。
【請求項８】
前記または各々の固定部材は、張力下で前記耐荷重細長部材（２）に適用され、前記または各々の固定部材は、前記耐荷重細長部材（２）に適用された場合、その構造を変化するように適合される、請求項１〜７のいずれか一項に記載の装置。
【請求項９】
前記電力導管（２５）は、前記固定部材のための前記ラッピングデバイスの回転を駆動するためのモータに接続し、それによって電力を送達するように適合された１つの端子を有する、請求項１〜８のいずれか一項に記載の装置。
【請求項１０】
前記電力導管（２５）は、前記電力導管ドラム（２８）から離間しているフィーダドラム（２６）から前記電力導管ドラム（２８）上に供給され、前記細長部材（２）が前記電力導管ドラム（２８）の前記中心軸穴の所定の位置に配置された後に、前記電力導管（２５）は前記フィーダドラム（２６）から前記電力導管（２８）上で被覆され、前記細長部材（２）が繰り出される場合、前記電力導管（２５）は前記電力導管ドラム（２８）から被覆を外される、請求項１〜９のいずれか一項に記載の装置。
【請求項１１】
前記細長部材（２）が繰り出される前に、前記電力導管（２５）は前記フィーダドラム（２６）から前記電力導管ドラム（２８）上に巻かれる、請求項１０に記載の装置。
【請求項１２】
前記細長部材（２）は、中心穴を有し、前記中心穴内に少なくとも１つのラインを適合させる、請求項１〜１１のいずれか一項に記載の装置。
【請求項１３】
荷重（３）を処理するための方法であって、前記方法は、
耐荷重細長部材（２）を繰り出し、戻すための耐荷重機構上で前記耐荷重細長部材（２）からの荷重を支持する工程と、
少なくとも１つのサービスアンビリカル（９、１０）と、前記耐荷重細長部材（２）と共に前記または各々のサービスアンビリカル（９、１０）を繰り出し、戻すためのサービスアンビリカル耐荷重機構とを提供する工程と、
前記耐荷重細長部材（２）および各々のサービスアンビリカル（９、１０）が繰り出される場合、前記耐荷重細長部材（２）および各々のサービスアンビリカル（９、１０）の周囲で少なくとも１つの固定部材を被覆し、前記耐荷重細長部材（２）および前記または各々のサービスアンビリカル（９、１０）が戻される場合、それらから前記または各々の前記固定部材の被覆を外す工程と、
荷重（３）を処理している間、前記耐荷重細長部材（２）と略同心円状に配置されるように適合される中心軸穴を有する電力導管ドラム（２８）上で被覆される細長いフレキシブルな導管（２５）を介して供給される電力によって、前記耐荷重細長部材（２）および各々のサービスアンビリカル（９、１０）の周囲のラッピングデバイスによる前記固定部材の回転に電力を供給する工程と、
を含む、方法。
【請求項１４】
前記耐荷重細長部材（２）は、前記電力導管ドラム（２８）の不連続部（２８’ｃ）を介して、前記電力導管ドラム（２８）の中心軸穴内へ移動する、請求項１３に記載の方法。
【請求項１５】
前記固定部材は固定部材ドラム上に格納され、前記ラッピングデバイス、前記電力導管ドラム、および前記固定部材ドラムは、前記細長部材に対して一緒に回転する、請求項１３または１４に記載の方法。
【請求項１６】
前記または各々のサービスアンビリカル（９、１０）は前記細長部材（２）に対して平行に配置され、同じ速度および同じ距離で繰り出される、請求項１３〜１５のいずれか一項に記載の方法。
【請求項１７】
少なくとも１つのサービスアンビリカルは、前記細長部材より早い速度で繰り出され、前記少なくとも１つのサービスアンビリカル（９、１０）および前記細長部材（２）が繰り出されている間、前記少なくとも１つのサービスアンビリカル（９、１０）は、前記細長部材（２）に対して周期的パターンで移動され、前記少なくとも１つのサービスアンビリカル（９、１０）は、前記細長部材（２）および前記少なくとも１つのサービスアンビリカル（９、１０）の周囲の前記固定部材の被覆によって周期パターンにおいて所定の位置に固定される、請求項１３〜１５のいずれか一項に記載の方法。
【請求項１８】
電力導管（２５）は、前記電力導管ドラム（２８）から離間しているフィーダドラム（２６）から前記電力導管ドラム（２８）上に供給される、請求項１３〜１７のいずれか一項に記載の方法。
【請求項１９】
前記電力導管（２５）は、前記電力導管ドラム（２８）上に供給されている間、伸長される、請求項１８に記載の方法。
【請求項２０】
前記細長部材（２）が前記電力導管ドラム（２８）の中心軸穴内の所定の位置に配置された後、前記電力導管（２５）は前記フィーダドラム（２６）から前記電力導管ドラム（２８）上で被覆され、前記細長部材（２）が繰り出される場合、前記電力導管（２５）は前記電力導管ドラム（２８）から被覆を外される、請求項１８または１９に記載の方法。
【請求項２１】
前記電力導管（２５）が前記電力導管ドラム（２８）上で被覆される場合、伸長が前記フィーダドラム（２６）の伸長モータから電気導管に付与される、請求項２０に記載の方法。
【請求項２２】
前記細長部材（２）が繰り出される前に、前記電力導管（２５）は前記電力導管ドラム（２８）上で前記フィーダドラム（２６）から巻かれる、請求項２０または２１に記載の方法。
【手続補正２】
【補正対象書類名】明細書
【補正対象項目名】００６６
【補正方法】変更
【補正の内容】
【００６６】
ギアボックス２６ｇはフィーダドラム２６の回転を駆動する。ここで図７および８を参照すると、ドラム２８および２６の同時回転により、フィーダドラム２６から電力導管ドラム２８上に電力導管２５が巻かれ、このプロセスにおいてチャネル２８を閉鎖する。これにより、複雑かつ大規模なスリップリングを必要とせずに、船の主な供給部と固定部材ドラムのハブモータとの間の電力導管の回転連結が可能となる。スプリットもチャネルもなく、コイル管２に適合するための中心開口部をフィーダドラム２６は必要としないので、フィーダドラム２６上のスリップリングまたは他の回転連結はかなり基礎的な設計であり得る。電力導管ドラム２８上で巻かれる導管２５の長さは、固定部材ドラム１５、１６上で巻かれる固定部材の長さと等しいことを必要としない。なぜなら、電力導管２５は軸方向に配置されず、コイル管およびサービスアンビリカルの軸周囲をらせん状に巻かれる固定部材と対照的に、単一平面において電力導管ドラム２８周囲を巻かれるだけだからである。
【手続補正３】
【補正対象書類名】明細書
【補正対象項目名】００６７
【補正方法】変更
【補正の内容】
【００６７】
固定部材が１０メートルごとに細長部材２の周囲を被覆する場合、電力導管ドラム２８は、水中３０００メートルまでの操作を可能にするように、十分な電力導管２５を繰り出すために、３００回、回転することを必要とするだけである。電力導管ドラム２８は、細長部材２の周囲の所定の位置に移動した後に取り付けられる電力導管２５を有することを必要とするだけであり、それにより、ケーブルはドラム内でカッタウェイ部を被覆しない。細長部材２が繰り出されると、アンビリカル９、１０が繰り出され、固定部材ドラム１５、１６はそれらの周囲で回転して、アンビリカル９、１０を固定する。細長部材２が戻されると、固定テープは巻かれず、アンビリカルは戻される。